(57)【要約】【課題】女性の体形に合い、長時間着用できる体形補正用衣類を提供する。【解決手段】体形補正用衣類１０は、前身頃１２と後身頃１４を備える。前身頃１２の胸部の肌側にクッション部１６が取り付けられている。前身頃１２の脇部の肌側に伸縮部材２０が取り付けられている。前身頃１２の腹部にパッド２６が備えられる。クッション部１６とパッド２６によって胸部を圧迫しすぎることは無い。胸部が圧迫されすぎないため、長時間体形補正用衣類１０を着用することができる。脇部の伸縮部材２０によって変形された胸部の形状が維持されやすくなっている。【選択図】図１
2020090731.tif 000002
【特許請求の範囲】
【請求項１】
前身頃と後身頃を備えた体形補正用衣類であって、
少なくとも前記前身頃と後身頃の１つが肌に向かって収縮する材料で構成され、該前身頃の胸部より下方にパッドを配置した体形補正用衣類。
【請求項２】
前記パッドの厚みは前身頃の胸部側が前身頃の下部側よりも厚い請求項１の体形補正用衣類。
【請求項３】
前記パッドが複数に分割されている請求項１または２の体形補正用衣類。
【請求項４】
前記前身頃の胸部にクッション部を備えた請求項１から３のいずれかの体形補正用衣類。
【請求項５】
前記前身頃の脇部に前記クッション部を後身頃に向けて引っ張る伸縮性の生地を設けた請求項４の体形補正用衣類。
【発明の詳細な説明】
【技術分野】
【０００１】
本発明は、女性の身体に適した体形補正用衣類に関するものである。
【背景技術】
【０００２】
ＦＴＭ（Female to Male）の性同一性障害者は女性の身体であるが、性自認は男性である。そのため、心理的な理由から男性用の衣類を着用する場合が多い。女性の身体的特徴として乳房が隆起している。そのため、ＦＴＭの性同一性障害者は、乳房を平らにしたり、男性のような筋肉を有するように見せたりすることを望む場合が多い。
【０００３】
たとえば、胸部を強く圧迫して乳房を平らにする衣類が種々販売されている。しかし、胸部を圧迫しすぎるため、長時間着用できないのが現状である。
【０００４】
下記特許文献１に男性用の体形補正用衣類が開示されている。前身頃にあるパッドと後身頃にあるパワーネットによって、着用者の姿勢を正しながら、胸部に筋肉があるように見せることができる。しかし、男性と女性とでは骨格が異なり、男性の方が女性よりも胸部の幅が広い。特許文献１の衣類は男性の体形に合わせて開発されており、女性が特許文献１の衣類を着用しても、パッドの位置が所定の位置に合わせられなかったり、パッドの位置がずれたりするおそれがある。
【先行技術文献】
【特許文献】
【０００５】
【特許文献１】特許６０８２９０５号公報
【発明の概要】
【発明が解決しようとする課題】
【０００６】
本発明の目的は、女性の体形に合い、長時間着用できる体形補正用衣類を提供することにある。
【課題を解決するための手段】
【０００７】
本発明の体形補正用衣類は、前身頃と後身頃を備える。少なくとも前記前身頃と後身頃の１つが肌に向かって収縮する材料で構成され、該前身頃の胸部より下方にパッドが配置されている。
【０００８】
前記パッドの厚みは前身頃の胸部側が前身頃の下部側よりも厚あつくなっている。また、前記パッドは複数に分割されていてもよい。
【０００９】
前記前身頃の胸部にクッション部を備える。また、前記前身頃の脇部に前記クッション部を後身頃に向けて引っ張る伸縮性の生地を設けてもよい。
【発明の効果】
【００１０】
本発明によると、前身頃と後身頃が胸部を圧迫するため、乳房の形状を平らにすることができる。また、パッドが胸部より下方に配置されており、そのパッドによって胸部を圧迫しすぎることが無い。長時間着用することができる。パッドによって腹部が大きくなり、女性的な細身の体形から男性的な幅広の体形に見せることができる。
【００１１】
パッドは腹部から胸部に向けて厚みが厚くなっており、胸部が不自然に盛り上がることが無くなる。パッドが複数に分割されていることで、パッドを筋肉に模した形状にすることができる。胸部と前身頃の間にクッション部があるため、胸部を圧迫しにくくなっている。変形させた胸部の形状が伸縮性の生地によって維持されやすくなっている。
【図面の簡単な説明】
【００１２】
【図１】本願の体形補正用衣類を示す図であり、（ａ）は体形補正用衣類の正面図であり、（ｂ）は体形補正用衣類の背面図である。
【図２】前身頃を肌側から見た図である。
【図３】図２にＡ−Ａ線断面図である。
【図４】複数に分割されたパッドを示す図である。
【図５】つぶし縫い部を備えないパッドを示す図である。
【図６】１つになったパッドを示す図である。
【発明を実施するための形態】
【００１３】
本発明の体形補正用衣類について図面を使用して説明する。体形補正用衣類は女性の身体に適したものである。
【００１４】
図１に示す本願の体形補正用衣類１０は、前身頃１２と後身頃１４を備える。体形補正用衣類１０は身体の肩から腰部付近までを覆う。前身頃１２と後身頃１４は縫合または接着などによってつなぎ合わされて１つになっている。
【００１５】
前身頃１２と後身頃１４は伸縮性を有する生地で構成される。たとえば、前身頃１２と後身頃１４はパワーネットまたはサテンネットなどの生地で構成される。前身頃１２と後身頃１４の伸縮する方向は、人の胸部の幅方向（図１の矢印Ｘの方向）である。体形補正用衣類１０を着用すると、前身頃１２と後身頃１４は肌に向かって収縮しようとし、胸部および腹部が内に向かって圧縮される。前身頃１２の胸部が乳房を肋骨に向けて押さえ、女性的な胸の膨らみを無くす。
【００１６】
図２および図３に示すように、前身頃１２の胸部の肌側にクッション部１６が配置されている。クッション部１６の全てが前身頃１２に取り付けられているのではなく、クッション部１６の周縁の一部が前身頃１２に取り付けられている。クッション部１６は不織布、発泡ウレタン、羽毛または綿などを袋に入れたものである。袋はコットン繊維からなる生地で構成したものである。クッション部１６は柔軟性を有し、胸の形状に合わせて変形できる。前身頃１２の生地が直接乳房を押さえつけず、クッション部１６を介して押さえつけるため、胸部が圧迫されすぎることを防止できる。乳房を押さえるために、クッション部１６の下部の２カ所１８が下方に向けて曲線状に突出している。クッション部１６は胸部を押さえた時に、乳房を目立たなくする。
【００１７】
前身頃１２の脇部の肌側に伸縮部材２０が設けられている。その伸縮部材２０は、パワーネットまたはサテンネットなどのポリウレタン繊維が含まれた伸縮性の生地で構成される。伸縮部材２０の一側部２２がクッション部１６に取り付けられている。クッション部１６と伸縮部材２０をつなぎ合わせた部分は前身頃１２に取り付けられていない。伸縮部材２０の他側部２４が前身頃１２と後身頃１４のつなぎ合わせた部分に取り付けられている。他側部２４は前身頃１２と後身頃１４をつなぎ合わせるときに、一緒につなぎ合わせてもよい。伸縮部材２０の伸縮方向は人の胸部の幅方向（図２のＸ方向）である。そのため、体形補正用衣類１０の着用時に、伸縮部材２０がクッション部１６を後身頃１４の脇部に向けて引っ張る。前身頃１２の脇部に伸縮部材２０を設けたことで、前身頃１２の脇部は前身頃１２の他の部分よりも伸縮させるときの抵抗が高くなっている。伸縮部材２０は圧縮された胸部の形を崩さないようにする機能を有する。
【００１８】
前身頃１２の腹部にパッド２６が配置されている。パッド２６は前身頃１２における肌側において、クッション部１６および伸縮部材２０の下部に取り付けられている。パッド２６は不織布、発泡ウレタン、羽毛または綿などを袋に入れたものである。袋はコットン繊維からなる生地で構成したものである。パッド２６は、クッション部１６よりも厚みを厚くしている。パッド２６が腹部に密着され、前身頃１２はパッド２６を介して腹部を押さえる。
【００１９】
パッド２６は第１パッド２８と第２パッド３０を備える。前身頃１２の上に第１パッド２８が配置され、第１パッド２８の上に第２パッド３０が配置されている（図３）。さらに、第１パッド２８と第２パッド３０を構成する袋はつぶし縫いによってつぶし縫い部３２が形成されている。各パッド２８、３０は複数に分割され、各パッド２８、３０を構成する不織布等が偏りにくくなる。つぶし縫い部３２の方向は人の背丈の方向（図２のＹ方向）と胸部の幅方向（図２のＸ方向）のいずれであてもよい。つぶし縫い部３２の数は限定されない。つぶし縫い部３２の位置と方向によっては、パッド２６が腹筋を模した形状になる。クッション部１６とパッド２６によって胸部および腹部が大きくなり、筋肉質な体形に見せることもできる。
【００２０】
第２パッド３０は分割されたすべての第１パッド２８の上に配置されていない。図３においては、クッション部１６側の２つの第１パッド２８の上に第２パッド３０があり、最も下の第１パッド２８の上に第２パッド３０は無い。腹部から胸部に向けてパッド２６の厚みが厚くなる。体形補正用衣類１０を着用すると、腹部に対して胸部が膨らみすぎず、女性のような胸部の膨らみを無くすことができる。また、胸部を圧迫しすぎなくても、胸部の膨らみがわかりにくくなる。
【００２１】
クッション部１６、伸縮部材２０およびパッド２６を縫合または接着などでつなぎ合わせた後、前身頃１２の肌側にクッション部１６、伸縮部材２０およびパッド２６を縫合または接着でつなぎ合わせる。それと同時に、後身頃１４を前身頃１２に縫合または接着などでつなぎ合わせてもよい。クッション部１６、伸縮部材２０およびパッド２６を一体にしたものの一部が前身頃１２に取り付けられる。前身頃１２および後身頃１４に対してクッション部１６などが独立して動きやすくなっており、着心地を損ねにくくなっている。たとえば、クッション部１６、伸縮部材２０およびパッド２６を一体にしたものは、前身頃１２と後身頃１４をつなぎ合わせる部分３４に一緒につなぎ合わせてもよい。クッション部１６およびパッド２６が伸縮性のない材料で構成されていた場合、上記の位置にクッション部１６などを取り付けることで、前身頃１２の伸縮を阻害しない。また、クッション部１６、伸縮部材２０およびパッド２６を一体にしたものが前身頃１２の衿部３６や袖口部３８の一部に取り付けられてもよい。
【００２２】
後身頃１４の肌側には何も配置されていず、後身頃１４が直接背部に密着される。なお、後身頃１４の肌側に、厚みの薄いクッションなどを配置してもよい。
【００２３】
以上のように、本願の体形補正用衣類１０は胸部を押しつぶして女性的な胸部から男性的な胸部に形状を変えることができる。クッション部１６とパッド２６によって胸部を圧迫しすぎることは無い。胸部が圧迫されすぎないため、長時間体形補正用衣類１０を着用することができる。脇部の伸縮部材２０によって変形された胸部の形状が維持されやすくなっている。
【００２４】
以上、本願について一実施形態を説明したが、本願は上記実施形態に限定されることはない。たとえば、図４のパッド４０のように、第１パッド４２と第２パッド４４は、最初から物理的に分割されていてもよい。また、図５のパッド５０のように、つぶし縫い部を備えない第１パッド５２と第２パッド５４で構成されていてもよい。図６のパッド６０のように、発泡性ウレタンを所望形状に形成された１つのパッド６０であってもよい。パッド２６、４０、５０、６０は説明された構成に限定されることは無く、腹部から胸部に向けて厚みが厚くなるのであれば、他の形状のパッドであってもよい。
【００２５】
前身頃１２の肌側にクッション部１６、伸縮部材２０およびパッド２６、４０、５０、６０を取り付けたが、前身頃１２の表側（肌の反対側）にそれらを取り付けてもよい。
【００２６】
前身頃１２と後身頃１４の両方は伸縮性の生地で形成されていたが、いずれか一方のみが伸縮性の生地であってもよい。また、本願の前身頃１２と後身頃１４を裏地として、表地を別の生地で構成してもよい。表地によってクッション部１６などの存在を隠すことができ、本願の体形補正用衣類１０が周知のシャツと同じように見せられる。表地は任意の生地を使用することができる。
【００２７】
上記実施形態では袖の無い衣類を例に説明しているが、袖の有る衣類であってもよい。
【００２８】
本願はＦＴＭの性同一性障害者が着用する場合に限定されず、女性が男性衣装を着て仮装する際に本願の体形補正用衣類を着用してもよい。
【００２９】
その他、本発明はその主旨を逸脱しない範囲で当業者の知識に基づき種々の改良、修正、変更を加えた態様で実施できるものである。
【符号の説明】
【００３０】
１０：体形補正用衣類
１２：前身頃
１４：後身頃
１６：クッション部
１８：クッション部の下部
２０：伸縮部材
２２：伸縮部材の一側部
２４：伸縮部材の他側部
２６、４０、５０、６０：パッド
２８、４２、５２：第１パッド
３０、４４、５４：第２パッド
３２：つぶし縫い部
３４：前身頃と後身頃のつなぎ合わせ部分
３６：衿部の一部
３８：袖口部の一部
【図１】
2020090731.tif 000003
【図２】
2020090731.tif 000004
【図３】
2020090731.tif 000005
【図４】
2020090731.tif 000006
【図５】
2020090731.tif 000007
【図６】
2020090731.tif 000008
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
前身頃と後身頃を備えた体形補正用衣類であって、
少なくとも前記前身頃と後身頃の１つが肌に向かって収縮する材料で構成され、該前身頃の胸部より下方にパッドを配置し、該パッドの厚みは前身頃の胸部側が前身頃の下部側よりも厚い体形補正用衣類。
【請求項２】
前記パッドが複数に分割されている請求項１の体形補正用衣類。
【請求項３】
前記前身頃の胸部にクッション部を備えた請求項１または２の体形補正用衣類。
【請求項４】
前記前身頃の脇部に前記クッション部を後身頃に向けて引っ張る伸縮性の生地を設けた請求項３の体形補正用衣類。
【手続補正書】
【提出日】令和1年10月28日(2019.10.28)
【手続補正１】
【補正対象書類名】特許請求の範囲
【補正対象項目名】全文
【補正方法】変更
【補正の内容】
【特許請求の範囲】
【請求項１】
前身頃と後身頃を備え、少なくとも前記前身頃と後身頃の１つが肌に向かって収縮する材料で構成された体形補正用衣類であって、
前記前身頃の胸部の肌側に配置され、胸の形状に合わせて変形できるクッション部と、
前記前身頃の脇部の肌側に配置され、一側部と他側部を備え、該一側部が前記クッション部に取り付けられ、該他端部が前身頃と後身頃のつなぎ合わせた部分に取り付けられ、該クッション部を後身頃に向けて引っ張り、前記前身頃の脇部が伸縮するときの抵抗を該前身頃の他の部分が伸縮するときの抵抗よりも高くした伸縮部材と、
前記前身頃の胸部より下方に配置され、前記クッション部よりも厚いパッドと、
を備えた体形補正用衣類。
【請求項２】
前記パッドの厚みは前身頃の胸部側が前身頃の下部側よりも厚い請求項１の体形補正用衣類。
【請求項３】
前記パッドが複数に分割されている請求項１または２の体形補正用衣類。
【請求項４】
前記伸縮部材の伸縮方向が胸部の幅方向である請求項１から３のいずれかの体形補正用衣類。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
前身頃と後身頃を備え、少なくとも前記前身頃と後身頃の１つが肌に向かって収縮する材料で構成された体形補正用衣類であって、
前記前身頃の胸部の肌側に配置され、胸の形状に合わせて変形できるクッション部と、
前記前身頃の脇部の肌側に配置され、一側部と他側部を備え、該一側部が前記クッション部に取り付けられ、該他側部が前身頃と後身頃のつなぎ合わせた部分に取り付けられ、該クッション部を後身頃に向けて引っ張り、前記前身頃の脇部が伸縮するときの抵抗を該前身頃の他の部分が伸縮するときの抵抗よりも高くした伸縮部材と、
前記前身頃の胸部より下方に配置され、前記クッション部よりも厚いパッドと、
を備えた体形補正用衣類。
【請求項２】
前記パッドの厚みは前身頃の胸部側が前身頃の下部側よりも厚い請求項１の体形補正用衣類。
【請求項３】
前記パッドが複数に分割されている請求項１または２の体形補正用衣類。
【請求項４】
前記伸縮部材の伸縮方向が胸部の幅方向である請求項１から３のいずれかの体形補正用衣類。